(57)【要約】      （修正有）【課題】省電力状態における省電力効果を高めると共に、ネットワークケーブルの接続による省電力状態からの復帰を可能とする。【解決手段】装置の一部への電源供給が停止された上でネットワークを介した情報のやり取りが可能な通信可能省電力状態に移行する機能を有する画像処理装置１であって、ネットワークＩ／Ｆデバイス２０４と、低電力デバイス２０５とを含む。ネットワークケーブルが接続状態から非接続状態に変化した場合に、通信可能省電力状態よりも更に電力供給範囲が限定されると共にネットワークケーブルの接続状態の検知が可能な接続検知可能省電力状態に遷移するように電源の供給状態を制御する。【選択図】図２
2016057788.tif 000002
【特許請求の範囲】
【請求項１】
装置の一部への電源供給が停止された上でネットワークを介した情報のやり取りが可能な通信可能省電力状態に遷移する機能を有する画像処理装置であって、
ネットワークケーブルの接続状態を検知する接続検知部と、
ネットワークケーブルの接続状態に応じて電源の供給状態を制御する電源供給制御部とを含み、
前記電源供給制御部は、前記ネットワークケーブルが接続状態から非接続状態に変化した場合に、前記通信可能省電力状態よりも更に電力供給範囲が限定されると共に前記接続検知部によるネットワークケーブルの接続状態の検知が可能な接続検知可能省電力状態に遷移するように電源の供給状態を制御することを特徴とする画像処理装置。
【請求項２】
前記電源供給制御部は、前記接続検知可能省電力状態において前記ネットワークケーブルが非接続状態から接続状態に変化した場合に、装置各部への電力供給を開始するように電源の供給状態を制御することを特徴とする請求項１に記載の画像処理装置。
【請求項３】
前記電源供給制御部は、前記接続検知可能省電力状態に遷移した後、所定の条件が満たされた場合に前記接続検知部に対する電力供給を停止し、主電源スイッチによる操作によってのみ起動可能な非稼働状態に遷移するように電源の供給状態を制御することを特徴とする請求項１または２に記載の画像処理装置。
【請求項４】
前記電源供給制御部は、前記接続検知可能省電力状態に遷移した後、所定の期間が経過した場合に前記接続検知部に対する電力供給を停止し、主電源スイッチによる操作によってのみ起動可能な非稼働状態に遷移するように電源の供給状態を制御することを特徴とする請求項３に記載の画像処理装置。
【請求項５】
前記電源供給制御部は、前記接続検知可能省電力状態に遷移した後、装置周辺の明るさが所定の閾値よりも暗くなった場合に前記接続検知部に対する電力供給を停止し、主電源スイッチによる操作によってのみ起動可能な非稼働状態に遷移するように電源の供給状態を制御することを特徴とする請求項３に記載の画像処理装置。
【請求項６】
前記電源供給制御部は、前記接続検知可能省電力状態に遷移した後、所定の期間が経過した場合に装置各部への電力供給を開始するように電源の供給状態を制御することを特徴とする請求項１乃至５いずれか１項に記載の画像処理装置。
【請求項７】
前記電源供給制御部は、前記接続検知可能省電力状態に遷移した後、装置周辺の明るさが所定の閾値よりも明るくなった場合に装置各部への電力供給を開始するように電源の供給状態を制御することを特徴とする請求項１乃至５いずれか１項に記載の画像処理装置。
【請求項８】
前記電源供給制御部は、前記接続検知可能省電力状態に遷移した後、操作部に対する操作を受け付けた場合に装置各部への電力供給を開始するように電源の供給状態を制御することを特徴とする請求項１乃至５いずれか１項に記載の画像処理装置。
【請求項９】
装置の一部への電源供給が停止された上でネットワークを介した情報のやり取りが可能な通信可能省電力状態に移行する機能を有する画像処理装置の制御方法であって、
ネットワークケーブルの接続状態を検知し、
前記ネットワークケーブルが接続状態から非接続状態に変化した場合に、前記通信可能省電力状態よりも更に電力供給範囲が限定されると共に前記ネットワークケーブルの接続状態の検知が可能な接続検知可能省電力状態に遷移するように電源の供給状態を制御することを特徴とする画像処理装置の制御方法。
【発明の詳細な説明】
【技術分野】
【０００１】
本発明は、画像処理装置及び画像処理装置の制御方法に関する。
【背景技術】
【０００２】
近年、情報の電子化が推進される傾向にあり、電子化された情報の出力に用いられるプリンタやファクシミリ及び書類の電子化に用いるスキャナ等の画像処理装置は欠かせない機器となっている。このような画像処理装置においては、装置の非稼働時における消費電力の低減が求められており、装置の一部に対する電力供給を停止した省電力状態の制御が用いられている。
【０００３】
このような省電力状態の制御の態様として、消費電力を低減しつつホストＰＣとの通信を可能とする技術が提案されている（例えば、特許文献１参照）。この技術においては、指定消費電力を達成する省エネルギーモードにおいて、ホストＰＣと接続するためのＩ／Ｆを搭載するＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）には電源を供給する。そして、そのＡＳＩＣによってホストＰＣとの通信を実現する。
【発明の概要】
【発明が解決しようとする課題】
【０００４】
省電力状態への遷移の制御として、ネットワークケーブルを外すことに応じた遷移が用いられる場合があり、省電力効果の基準として、その場合に所定の消費電力以下に抑えることが求められる場合がある。従来技術においては、ネットワーク通信に応じた復帰判断のため、省電力状態においてもネットワークＩ／Ｆを含むデバイスへの電力供給を継続している。そのため、その分の電力が必要であり、厳しい消費電力の低減要求を達成することが困難である。
【０００５】
他方、ネットワークケーブルを外すことによって省電力状態に遷移した場合、再びネットワークケーブルを接続することによって復帰を行う制御が求められる。しかしながら、省電力要求を達成するためにネットワークＩ／Ｆを含むデバイスへの電力供給を完全に停止すると、再びネットワークケーブルが接続されたことを検知することが出来ず、ケーブルの接続による復帰制御を行うことが出来ない。
【０００６】
本発明は、上記実情を考慮してなされたものであり、省電力状態における省電力効果を高めると共に、ネットワークケーブルの接続による省電力状態からの復帰を可能とすることを目的とする。
【課題を解決するための手段】
【０００７】
上記課題を解決するために、本発明の一態様は、装置の一部への電源供給が停止された上でネットワークを介した情報のやり取りが可能な通信可能省電力状態に移行する機能を有する画像処理装置であって、ネットワークケーブルの接続状態を検知する接続検知部と、ネットワークケーブルの接続状態に応じて電源の供給状態を制御する電源供給制御部とを含み、前記電源供給制御部は、前記ネットワークケーブルが接続状態から非接続状態に変化した場合に、前記通信可能省電力状態よりも更に電力供給範囲が限定されると共に前記接続検知部によるネットワークケーブルの接続状態の検知が可能な接続検知可能省電力状態に遷移するように電源の供給状態を制御することを特徴とする。
【発明の効果】
【０００８】
本発明によれば、省電力状態における省電力効果を高めると共に、ネットワークケーブルの接続による省電力状態からの復帰を可能とすることが可能となる。
【図面の簡単な説明】
【０００９】
【図１】本発明の実施形態に係る画像処理装置の電源制御状態の遷移を示す図である。
【図２】本発明の実施形態に係る画像処理装置の制御構成を示す図である。
【図３】本発明の実施形態に係る画像処理装置のエンジンオフ時における電源供給状態を示す図である。
【図４】本発明の実施形態に係る画像処理装置のＳＴＲモード時における電源供給状態を示す図である。
【図５】本発明の実施形態に係るネットワーク接続検知可能オフモード時における電源供給状態を示す図である。
【図６】本発明の実施形態に係る画像処理装置のシャットダウン時における電源供給状態を示す図である。
【図７】本発明の他の実施形態に係る画像処理装置の電源制御状態の遷移を示す図である。
【発明を実施するための形態】
【００１０】
以下、図面を参照して、本発明の実施形態を詳細に説明する。本実施形態においては、ネットワークケーブルが取り外されたことを検知して省電力状態に遷移し、再びネットワークケーブルが接続された際に省電力状態から復帰する画像処理装置を例として説明する。
【００１１】
図１は、本実施形態に係る画像処理装置１の電力供給状態の遷移を示す図である。図１に示すように、本実施形態に係る画像処理装置１は、大きくわけて“主電源オン状態”と“主電源オフ状態”との２つの状態がある。この２つの状態のうち、“主電源オン状態”では、機器がすぐに使用できる“レディ状態”と、消費電力が低減される代わりに機器仕様に際して復帰動作が必要となる“省エネ状態”とがある。
【００１２】
“レディ状態”とは、図１において“スタンバイ”と示されている状態であり、装置を構成する各部全体に電力が供給された状態である。他方、“省エネ状態”には、“エンジンＯＦＦ”と“ＳＴＲ（Ｓｕｓｐｅｎｄ  Ｔｏ  ＲＡＭ）”との２つの状態が含まれる。“エンジンＯＦＦ”は、装置構成のうちエンジンのみ電源供給が停止され、消費電力が比較的多い代わりに画像処理が可能な状態である。
【００１３】
他方、“ＳＴＲ”は、ネットワークを介したプリント命令の受信や一部のプロトコル応答並びに操作パネルに対する操作の受け付け等が可能なように電力供給部位が制限された状態である。換言すると、“ＳＴＲ”が通信可能省電力状態である。従来、この“ＳＴＲ”が、主電源スイッチを操作することなく装置を稼働させることが可能な省電力状態のうち最も消費電力が低減された状態であった。
【００１４】
本実施形態に係る画像処理装置においては、この“ＳＴＲ”よりも更に省電力効果を高めた上で、主電源スイッチを操作することなく装置を稼働させることが可能なモードを実現することが要旨の１つである。尚、省電力効果を高める基準として、ＡＣ０．５Ｗ以下を達成することが１つの基準となる。
【００１５】
従来、ＡＣ０．５Ｗを達成するモードとしては、“主電源オフ状態”である“シャットダウン”状態がある。しかしながら、“シャットダウン”状態から装置を稼働状態に遷移させるためには主電源スイッチの操作が必要である。即ち、“シャットダウン”状態が非稼働状態である。これに対し、本実施形態に係る画像処理装置においては、図１に示すように“ネットワーク接続検知可能オフモード”を設け、消費電力を低減した上で主電源スイッチの操作を伴わない復帰制御を可能とする。
【００１６】
図１に示すように、“ネットワーク接続検知可能オフモード”は、“スタンバイ”、“エンジンＯＦＦ”、“ＳＴＲ”の各モードから遷移可能である。その遷移の要因は、ネットワークケーブルが画像処理装置から取り外されたことによるものである。即ち、画像処理装置１は、“スタンバイ”、“エンジンＯＦＦ”、“ＳＴＲ”の各モードにおいてネットワークケーブルが取り外されたことを検知すると、“ネットワーク接続検知可能オフモード”に遷移する。
【００１７】
他方、“ネットワーク接続検知可能オフモード”において、ネットワークケーブルが接続されることにより、非接続状態から接続状態に変化すると、画像処理装置はそれを検知して“スタンバイ”状態への復帰制御を行う。“ネットワーク接続検知可能オフモード”は、装置内の殆どの部位に対する電力供給が遮断されることにより省電力効果が高められた状態であり、通信機能を担うデバイスに対しても電力供給は遮断されている。
【００１８】
これに対して、“ネットワーク接続検知可能オフモード”においては、ネットワークケーブルが接続されたことを検知する必要があるため、通信機能を担うデバイスのうち、物理的な信号の受信機能を担うデバイスには電力が供給されている。換言すると、“ネットワーク接続検知可能オフモード”は、ＳＴＲモードよりも更に電力供給範囲が限定されると共に、ネットワークケーブルの接続状態の検知が可能な接続検知可能省電力状態である。これにより、ＳＴＲモードよりも更に省電力効果を高めた上で、主電源スイッチの操作ではなく、ネットワークケーブルの差し込みに応じて復帰制御を行うことが可能となる。
【００１９】
図２は、本実施形態に係る画像処理装置１の構成を示すブロック図である。図１に示すように、本実施形態に係る画像処理装置１は、エンジン１００、メインコントローラ２００、主電源３００、操作部４００及びメインスイッチ５００を含む。また、図１においては、電力供給を太い線で、信号のやり取りを細い線で示している。エンジン１００は、画像処理装置１において画像形成機能を担うハードウェアであり、エンジン制御ＣＰＵ（Ｃｅｎｔｒａｌ  Ｐｒｏｃｅｓｓｉｎｇ  Ｕｎｉｔ）１０１、作像ユニット１０２、給紙ユニット１０３及び定着ユニット１０４を含む。
【００２０】
メインコントローラ２００は、画像処理装置１において全体を制御する機能を担うユニットであり、ＳｏＣ（Ｓｙｓｔｅｍ  ｏｎ  ａ  Ｃｈｉｐ）２０１、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）２０２、省エネ制御デバイス２０３、ネットワークＩ／Ｆデバイス２０４、低電力デバイス２０５及びリアルタイムクロック２０６を含む。
【００２１】
ＳｏＣ２０１は、メインコントローラ２００において装置全体の制御機能を担うモジュールである。ＡＳＩＣ２０２は、エンジン１００の制御や、操作部４００の制御など、特定の機能の制御を担うモジュールである。
【００２２】
省エネ制御デバイス２０３は、ＡＳＩＣ２０２とネットワークＩ／Ｆデバイス２０４との間でネットワークを介した情報のやりとりを仲介すると共に、図１に示す“省エネ状態”の遷移の制御を行う。そのため、省エネ制御デバイス２０３は、装置の動作状態に応じて装置各部の電力供給を切り替えるスイッチ（以降、「ＳＷ」とする、図中のＳＷ１１〜ＳＷ１４）を制御し、エンジン１００等の装置各部に対する電力供給状態を切り替える。また、省エネ制御デバイス２０３は、ＳＴＲ状態においては外部に対する応答機能を担うと共に、特定の要因に応じた復帰制御を行う。
【００２３】
ネットワークＩ／Ｆデバイス２０４は、ネットワークケーブルが差し込まれるインタフェースであると共に、物理的な信号を検知する機能を有する。また、本実施形態に係るネットワークＩ／Ｆデバイス２０４は、他端側が他の装置に接続されたネットワークケーブルが差し込まれていることにより電気信号が検知されている状態において、そのことを示す信号を低電力デバイス２０５に入力する。即ち、ネットワークＩ／Ｆデバイス２０４が接続検知部として機能する。
【００２４】
低電力デバイス２０５は、画像処理装置１において、主電源３００に電力が供給されている限り、即ち、画像処理装置１が商用電源に接続されている限り電力が供給されているデバイスである。低電力デバイス２０５は、メインスイッチ５００の操作に応じて出力される信号に基づいて装置各部のＳＷを制御し、電力供給を開始する。即ち、低電力デバイス２０５が電源供給制御部として機能する。
【００２５】
リアルタイムクロック２０６は、実時間をカウントするモジュールであり、設定された時間をカウントすることにより低電力デバイス２０５に対して信号を出力する。低電力デバイス２０５は、ネットワークＩ／Ｆデバイス２０４、リアルタイムクロック２０６及びメインスイッチ５００夫々からの信号に応じてＳＷを制御し、電源供給状態を切り替える。
【００２６】
主電源３００は、商用電源に基づいて画像処理装置１の各部に供給するための電力を生成するコンバータ３０１を含む。操作部４００は、マイコン４０１、キーＳＷ４０２及び照度センサ４０３を含む。マイコン４０１は、操作部４００を制御する制御部であり、キーＳＷ４０２に対する電源供給も制御する。キーＳＷ４０２は、ユーザが画像処理装置１を操作するためのハードキーである。照度センサ４０３は、画像処理装置１の周囲の明るさを検知するセンサである。
【００２７】
次に、図１に示す夫々の状態の遷移について説明する。画像処理装置１が商用電源に接続された状態においては、装置はシャットダウン状態である。図３は、シャットダウン状態における電源供給状態を示す図であり、電源供給ラインのうち、遮断されているラインが破線で示されていると共に、電源が供給されていないブロックが破線で示されている。
【００２８】
図３に示すように、シャットダウン状態においては、ＳＷ１１、ＳＷ１２、ＳＷ１３、ＳＷ１４全て遮断されており、コンバータ３０１からメインコントローラ２００の低電力デバイス２０５及び操作部４００のマイコン４０１にのみ電力が供給されている。尚、リアルタイムクロック２０６及び照度センサ４０３は、コンバータ３０１からの電力供給とは無関係に動作する。
【００２９】
シャットダウン状態においてメインスイッチ５００が操作されると、メインスイッチ５００からの信号を受けて低電力デバイス２０５がＳＷ１３、ＳＷ１４を切り替えて省エネ制御デバイス２０３及びネットワークＩ／Ｆデバイス２０４に電源が供給される。また、低電力デバイス２０５からの信号を受けてマイコン４０１がキーＳＷ４０２への電源供給を開始する。
【００３０】
続いて、省エネ制御デバイス２０３がＳＷ１１、ＳＷ１２を切り替えてエンジン１００、ＳｏＣ２０１及びＡＳＩＣ２０２に電源が供給される。これにより、画像処理装置１は、シャットダウン状態から装置全体に電力が供給されたスタンバイ状態に遷移する。
【００３１】
スタンバイ状態において所定期間が経過する等、エンジンＯＦＦ状態への遷移要因が発生すると、省エネ制御デバイス２０３がＳＷ１１を遮断し、エンジン１００への電源供給が遮断される。これにより、画像処理装置１は、図４に示すエンジンＯＦＦ状態に遷移する。
【００３２】
更に、エンジンＯＦＦ状態から更に所定期間が経過する等、ＳＴＲ状態への遷移要因が発生すると、省エネ制御デバイス２０３がＳＷ１２を遮断し、ＳｏＣ２０１、ＡＳＩＣ２０２への電源供給が遮断される。これにより、画像処理装置１は、図５に示すＳＴＲ状態に遷移する。
【００３３】
図２〜図５の状態の遷移は従来技術においても用いられる一般的な制御である。これに対して、本実施形態に係る画像処理装置１は、上述したように、ネットワークケーブルの抜き差しによる“ネットワーク接続検知可能オフモード”の制御が特徴的な処理である。
【００３４】
上述したように、ネットワークＩ／Ｆデバイス２０４は、ネットワークケーブルが差し込まれた状態においては、そのことを示す信号（以降、「ケーブル接続信号」）を低電力デバイス２０５に対して出力している。これに対して、図２、図４、図５に示すいずれかの状態において、ネットワークＩ／Ｆデバイス２０４からネットワークケーブルが抜き取られると、ネットワークＩ／Ｆデバイス２０４はケーブル接続信号の出力を停止する。
【００３５】
低電力デバイス２０５は、ネットワークＩ／Ｆデバイス２０４からケーブル接続信号の出力停止を検知すると、ネットワークケーブルが抜き取られたことを認識し、ＳＷ１３を遮断する。これにより、ＳｏＣ２０１、ＡＳＩＣ２０２及び省エネ制御デバイス２０３に対する電力供給が停止する。
【００３６】
また、省エネ制御デバイス２０３に対する電力供給が停止することによりＳＷ１１が遮断され、エンジン１００に対する電力供給が停止する。これにより、図６に示すように、操作部４００及びネットワークＩ／Ｆデバイス２０４にのみ電力が供給された“ネットワーク接続検知可能オフモード”への遷移が完了する。
【００３７】
“ネットワーク接続検知可能オフモード”においては、省エネ制御デバイス２０３に対する電力供給が停止しているため、従来のＳＴＲモードのようなネットワークに対する応答機能はない。これにより、ＳＴＲモードよりも更に省電力効果が高められており、例えばＡＣ０．５Ｗ以下の消費電力を達成することが可能となる。
【００３８】
また、ネットワークＩ／Ｆデバイス２０４は上述したようなネットワークケーブルの信号を検知して低電力デバイス２０５にケーブル接続信号を出力する機能を有している。低電力デバイス２０５は、ケーブル接続信号が入力されていない状態から入力されている状態となった場合、低電力デバイス２０５がＳＷ１３を切り替えて省エネ制御デバイス２０３に電源が供給される。
【００３９】
続いて、省エネ制御デバイス２０３がＳＷ１１、ＳＷ１２を切り替えてエンジン１００、ＳｏＣ２０１及びＡＳＩＣ２０２に電源が供給される。これにより、画像処理装置１は、“ネットワーク接続検知可能オフモード”から装置全体に電力が供給されたスタンバイ状態に遷移する。
【００４０】
このように、本実施形態に係る画像処理装置１においては、ネットワークケーブルが抜き取られた場合にそれを検知して、“ネットワーク接続検知可能オフモード”に遷移する。“ネットワーク接続検知可能オフモード”は、ネットワークケーブルが再び接続されたことを検知可能であって、且つ通信機能は休止した状態であり、ＳＴＲモードよりも更に省電力効果が高められた状態である。
【００４１】
このような構成により、本実施形態に係る画像処理装置１においては、省電力状態における省電力効果を高めると共に、ネットワークケーブルの接続による省電力状態からの復帰を可能とすることが出来る。
【００４２】
尚、上記実施形態においては、ネットワークケーブルが再び差し込まれた場合に、“ネットワーク接続検知可能オフモード”からの復帰制御を行う場合を例として説明した。この他、例えば操作部４００のキーＳＷ４０２に対する操作に応じて復帰することも可能である。
【００４３】
キーＳＷ４０２に対する操作はマイコン４０１に伝えられる。“ネットワーク接続検知可能オフモード”においては、操作部４００に対しても電源が供給されているため、マイコン４０１は、キーＳＷ４０２に対する操作に応じて低電力デバイス２０５に対して信号を出力することが可能である。従って、低電力デバイス２０５は、ケーブル接続信号の他、マイコン４０１から入力される信号に応じて“ネットワーク接続検知可能オフモード”からスタンバイ状態への復帰制御を行っても良い。
【００４４】
また、リアルタイムクロック２０６によるカウントに応じて自動的に復帰するようにしても良い。上述したように、リアルタイムクロック２０６は、コンバータ３０１からの電力供給とは無関係に動作しているため、“ネットワーク接続検知可能オフモード”においても動作可能である。従って、低電力デバイス２０５は、“ネットワーク接続検知可能オフモード”において、リアルタイムクロック２０６からの信号に応じて上述したようなスタンバイ状態への復帰制御を行うことが可能である。
【００４５】
“ネットワーク接続検知可能オフモード”においてリアルタイムクロック２０６から信号が出力される場合としては、予め定められた所定の時間になった場合や、“ネットワーク接続検知可能オフモード”に遷移してから所定の期間が経過した場合等である。
【００４６】
また、照度センサ４０３による明るさの検知結果に応じて復帰するようにしても良い。リアルタイムクロック２０６と同様に、マイコン４０１、照度センサ４０３もコンバータ３０１からの電力供給とは無関係に動作している。従って、低電力デバイス２０５は、“ネットワーク接続検知可能オフモード”において、照度センサ４０３の検知結果に応じたマイコン４０１からの信号に応じて上述したようなスタンバイ状態への復帰制御を行うことが可能である。
【００４７】
マイコン４０１が低電力デバイス２０５に対して“ネットワーク接続検知可能オフモード”から復帰させるための信号を出力する照度センサ４０３の検知結果としては、例えば暗い状態から明るい状態に変化した場合である。照度センサ４０３は画像処理装置１が設置された居室等の周囲の明るさに応じた信号をマイコン４０１に出力している。
【００４８】
マイコン４０１は、照度センサ４０３から出力される信号が示す明るさが定められた閾値を下回った状態から超えた場合に、部屋が明るくなったと判断し、“ネットワーク接続検知可能オフモード”から復帰させるための信号を出力する。このような処理により、部屋が明るくなった場合に“ネットワーク接続検知可能オフモード”からの復帰制御を行うことが出来る。
【００４９】
このように、ネットワークケーブルを再び接続すること以外にも様々な復帰要因を設けておくことにより、ユーザの利便性を向上することが出来る。即ち、ユーザが装置の状態を把握しておらず、“ネットワーク接続検知可能オフモード”であることに気付かない結果、ネットワークケーブルを再び差し込むという行為に思い至らない場合であっても、装置を復帰させることが可能となる。
【００５０】
また、上記実施形態においては、“ネットワーク接続検知可能オフモード”から遷移する状態は“スタンバイ”状態のみである場合を例として説明した。しかしながら、ユーザがネットワークケーブルを抜き取って“ネットワーク接続検知可能オフモード”に遷移したまま装置が放置された場合には、更に消費電力を低減するために“シャットダウン”状態に遷移することが好ましい。以下、そのような制御について説明する。
【００５１】
図７は、“ネットワーク接続検知可能オフモード”から“シャットダウン”状態に遷移する場合の、電力供給状態の遷移を示す図である。図７に示すように、“ネットワーク接続検知可能オフモード”から“シャットダウン”状態に遷移する制御が追加されている。ただし、“シャットダウン”状態からの遷移はメインスイッチ５００の操作に限定されるため、図１と同様に、“シャットダウン”状態からは“スタンバイ”状態にのみ遷移する。
【００５２】
“ネットワーク接続検知可能オフモード”から“シャットダウン”状態に遷移する要因として、例えばリアルタイムクロック２０６によるカウントを用いることが可能である。具体的には、“ネットワーク接続検知可能オフモード”に遷移する際、低電力デバイス２０５がリアルタイムクロックに所定期間経過後の時間を設定する。
【００５３】
リアルタイムクロック２０６は、設定された時間になると低電力デバイス２０５に対して設定時間になったことを示す信号を出力する。低電力デバイス２０５は、この信号に基づいてＳＷ１４を切り替えてネットワークＩ／Ｆデバイス２０４に対する電力供給を停止すると共にマイコン４０１に対してキーＳＷ４０２への電力供給を停止させる。これにより、図３に示す状態に遷移する。
【００５４】
また、リアルタイムクロック２０６の機能の他、照度センサ４０３の機能を用いても良い。マイコン４０１が低電力デバイス２０５に対して“ネットワーク接続検知可能オフモード”から“シャットダウン”状態に遷移するための信号を出力する照度センサ４０３の検知結果としては、例えば明るい状態から暗い状態に変化した場合である。上述したように、照度センサ４０３は画像処理装置１が設置された居室等の周囲の明るさに応じた信号をマイコン４０１に出力している。
【００５５】
マイコン４０１は、照度センサ４０３から出力される信号が示す明るさが定められた閾値を超えた状態から下回った場合に、部屋が暗くなったと判断し、“ネットワーク接続検知可能オフモード”から復帰させるための信号を出力する。このような処理により、部屋が暗くなった場合に“ネットワーク接続検知可能オフモード”から“シャットダウン”状態への遷移制御を行うことが出来る。
【符号の説明】
【００５６】
１  画像処理装置
１００  エンジン
１０１  エンジン制御ＣＰＵ
１０２  作像ユニット
１０３  給紙ユニット
１０４  定着ユニット
２００  メインコントローラ
２０１  ＳｏＣ
２０２  ＡＳＩＣ
２０３  省エネ制御デバイス
２０４  ネットワークＩ／Ｆデバイス
２０５  省電力デバイス
２０６  リアルタイムクロック
３００  主電源
３０１  コンバータ
４００  操作部
４０１  マイコン
４０２  キーＳＷ
４０３  照度センサ
５００  メインスイッチ
【先行技術文献】
【特許文献】
【００５７】
【特許文献１】特表２００５−０９４６７９号公報
【図１】
2016057788.tif 000003
【図２】
2016057788.tif 000004
【図３】
2016057788.tif 000005
【図４】
2016057788.tif 000006
【図５】
2016057788.tif 000007
【図６】
2016057788.tif 000008
【図７】
2016057788.tif 000009